(57)【特許請求の範囲】
【請求項１】
被介護者の頭部を支持する頭部支持台、被介護者の胴部を支持する胴部支持台および、被介護者の脚部を支持する脚部支持台と、前記各支持台の両側端部にそれぞれ立設された、前記頭部支持台が斜め横向きに揺動した状態で被介護者の頭部を支持する頭部側壁、前記胴部支持台が斜め横向きに揺動した状態で被介護者の胴部を支持する胴部側壁および、前記脚部支持台が斜め横向きに揺動した状態で被介護者の脚部を支持する脚部側壁と、を有するベッドと、
前記ベッドをその長手方向に延在する水平軸線周りに横向に揺動可能に支持する基台と、
前記ベッドを前記水平軸線周りに横向に揺動させる横向揺動機構と、
を具えてなり、
前記横向揺動機構は、
前記水平軸線を間に挟む前記ベッドの左右部分にそれぞれ結合されて内部の水の重量により前記ベッドを揺動させる左右の横向用水タンクと、
前記左右の横向用水タンクの何れか一方への注水とその注水した横向用水タンクからの排水とを行う横向用弁と、
被介護者により操作可能に前記ベッドに設けられて前記横向用弁を作動させる弁作動手段と、
前記ベッドに下向きに突設されて前記ベッドを水平状態に向けて附勢する重りと、
を有することを特徴とする揺動式介護ベッド装置。
【請求項２】
前記弁作動手段は、前記横向用弁に前記左右の横向用水タンクの何れか一方への注水を選択的に行わせる作動選択手段を有することを特徴とする請求項１記載の揺動式介護ベッド装置。
【請求項３】
前記頭部支持台および前記胴部支持台をその胴部支持台の前記脚部支持台寄りの端部でその胴部支持台の左右方向へ延在する軸線周りに水平位置と起き上がり位置との間で揺動させる起き上がり機構を具え、
前記起き上がり機構は、
前記胴部支持台の前記脚部支持台寄りの端部に前記頭部支持台と反対の方向に突設された腕部材に結合されて内部の水の重量により前記頭部支持台および前記胴部支持台を前記起き上がり位置へ揺動させる起き上がり用水タンクと、
前記起き上がり用水タンクへの注水と前記起き上がり用水タンクからの排水とを行う起き上がり用弁と、
を有するものであり、
前記弁作動手段は、前記起き上がり用弁をも作動させるものであることを特徴とする請求項１または２記載の揺動式介護ベッド装置。
【請求項４】
前記作動選択手段は、前記横向用弁による前記左右の横向用水タンクの何れか一方への注水と、前記起き上がり用弁による前記起き上がり用水タンクへの注水とを選択的に行わせるものであることを特徴とする請求項３記載の揺動式介護ベッド装置。
【発明の詳細な説明】
【技術分野】
【０００１】
本発明は、被介護者の床擦れを容易に防止し得る揺動式介護ベッド装置に関し、特にはモータや人力に代えて水の重さを駆動源とする揺動機構を用いることで簡易かつ安価に構成した揺動式介護ベッド装置に関するものである。
【背景技術】
【０００２】
本発明者は、２０年程前からほとんど仰向けに寝ることができず、常に左向か右向の横向にならないと寝ることができなくなった。その後、６年程前にベッドに寝ていて、そのベッドを常に左右に傾ければ寝返りを打つのと同じではないかとふと思い付き、早速、試作品を作って試してみたところ、いろいろ試作錯誤をした結果成功にこぎつけた。
【０００３】
当初は、ベッドは８０度ないし９０度傾けなければ効果がないと思い込んでいたが、実験を繰り返す内に、ベッドは３０度前後傾ければ、寝返りを打ったのと同じ効果があることが分かった。また、ベッドが左右に傾いて元に戻るまでの時間は、大体５分程度がちょうど良いことが分かった。
本発明者が病院で聞いたところ、寝たきり患者の床擦れを防ぐためには、２，３人の看護師が３時間置きに寝返りをさせていると話していた。
本発明は、このような介護者の負担をなくすことができ、しかも寝たきり患者等の被介護者の床擦れ防止に非常に役に立つものである。
【０００４】
ところで本発明者は、被介護者に寝返りを打たせる介護ベッド装置として、先に特許文献１および特許文献２により揺動式介護ベッド装置を提案しており、これら特許文献１および特許文献２に記載の揺動式介護ベッド装置は何れも、被介護者の頭部を支持する頭部支持台、被介護者の胴部を支持する胴部支持台および、被介護者の脚部を支持する脚部支持台と、各支持台の両側端部にそれぞれ立設された、頭部支持台が斜め横向きに揺動した状態で被介護者の頭部を支持する頭部側壁、胴部支持台が斜め横向きに揺動した状態で被介護者の胴部を支持する胴部側壁および、脚部支持台が斜め横向きに揺動した状態で被介護者の脚部を支持する脚部側壁と、を有するベッドを、その長手方向に延在する水平軸線周りに横向に揺動可能に基台で支持し、そのベッドをその長手方向に延在する水平軸線周りに、揺動機構によって横向に揺動させて、寝返りを打ったのと同様の効果を被介護者にもたらすものである。
【０００５】
そしてその揺動機構として、特許文献１記載の揺動式介護ベッド装置はモータの出力回転を減速機およびチェーン式の回転伝達機構を介してベッドに伝える電動式の揺動機構を具えており、また特許文献２記載の揺動式介護ベッド装置は、被介護者自身の人力操作によるハンドルの回転をフレキシブルシャフト式の回転伝達機構と減速機およびチェーン式の回転伝達機構とを介してベッドに伝える人力式の揺動機構を具えている。
【先行技術文献】
【特許文献】
【０００６】
【特許文献１】特許４７４６１５３号公報
【特許文献２】特許４９８８９５８号公報
【発明の概要】
【発明が解決しようとする課題】
【０００７】
しかしてこれら特許文献１および特許文献２に記載の揺動式介護ベッド装置につきさらに研究を進めた結果、本発明者は以下の改良点を見出した。すなわち、上記特許文献記載の揺動式介護ベッド装置は、モータや人力による回転力を減速機および回転伝達機構を介してベッドに伝えていることから、何れも揺動機構が複雑で高価なものになるという不都合があった。
それゆえ本発明の目的は、揺動機構に減速機および回転伝達機構を用いないことで、簡易な構成で安価に製造できる揺動式介護ベッド装置を提供することにある。
【課題を解決するための手段】
【０００８】
本発明者は、上記の従来技術が抱えている上述した問題点を克服することができ、かつ上記目的を確実に実現することができる技術について鋭意研究を行った結果、下記の要旨構成に係る本発明に想到した。
【０００９】
即ち、本発明の揺動式介護ベッド装置は、被介護者の頭部を支持する頭部支持台、被介護者の胴部を支持する胴部支持台および、被介護者の脚部を支持する脚部支持台と、前記各支持台の両側端部にそれぞれ立設された、前記頭部支持台が斜め横向きに揺動した状態で被介護者の頭部を支持する頭部側壁、前記胴部支持台が斜め横向きに揺動した状態で被介護者の胴部を支持する胴部側壁および、前記脚部支持台が斜め横向きに揺動した状態で被介護者の脚部を支持する脚部側壁と、を有するベッドと、前記ベッドをその長手方向に延在する水平軸線周りに横向に揺動可能に支持する基台と、前記ベッドを前記水平軸線周りに横向に揺動させる横向揺動機構と、を具えてなり、前記横向揺動機構は、前記水平軸線を間に挟む前記ベッドの左右部分にそれぞれ結合されて内部の水の重量により前記ベッドを揺動させる左右の横向用水タンクと、前記左右の横向用水タンクの何れか一方への注水とその注水した横向用水タンクからの排水とを行う横向用弁と、被介護者により操作可能に前記ベッドに設けられて前記横向用弁を作動させる弁作動手段と、前記ベッドに下向きに突設されて前記ベッドを水平状態に向けて附勢する重りと、を有することを特徴とするものである。
【発明の効果】
【００１０】
本発明の揺動式介護ベッド装置によれば、長手方向に延在する水平軸線周りに横向に揺動可能に基台によって支持されたベッドが有する頭部支持台と胴部支持台と脚部支持台とが、ベッドに仰向けに寝た被介護者の少なくとも頭部と胴部と脚部とをそれぞれ支持した状態で、横向揺動機構が、ベッドをその長手方向に延在する水平軸線周りに横向に揺動させて頭部支持台と胴部支持台と脚部支持台とを左右の横向に例えば３０度程度まで傾斜させるので、被介護者が寝返りを打ったのと同じように被介護者の被圧迫部位を反対側へ移す効果があり、これにより被介護者が自分でベッドを横向に揺動させて床擦れを有効に防止することができる。もちろん被介護者は、ベッドの傾斜を助けにして実際に寝返りを打っても良い。
【００１１】
しかも本発明の揺動式介護ベッド装置によれば、ベッドを揺動させて頭部支持台と胴部支持台と脚部支持台とを横向に傾斜させた際に、頭部支持台の両側端部に立設された頭部側壁がベッドに仰向けに寝た被介護者の頭部を支持し、胴部支持台の両側端部に立設された胴部側壁がベッドに仰向けに寝た被介護者の胴部を支持し、脚部支持台の両側端部に立設された脚部側壁がベッドに仰向けに寝た被介護者の脚部を支持するので、被介護者はベッドからずれ落ちることがなく、それゆえ被介護者は、ベッドから落下する恐怖を覚えることなく安心してベッドを横向に揺動させることができる。
【００１２】
そして本発明の揺動式介護ベッド装置によれば、ベッドに仰向けに寝た被介護者が、被介護者の操作が可能なようにベッドに設けられた弁作動手段を操作して横向用弁を作動させると、その横向用弁が、ベッドをその長手方向に延在する水平軸線周りに横向に揺動させる横向揺動機構の、その水平軸線を間に挟むベッドの左右部分にそれぞれ結合されて内部の水の重量によりベッドを揺動させる左右の横向用水タンクの何れか一方への注水と、その注水した横向用水タンクからの排水とを行い、左右の横向用水タンクのうち横向用弁が注水した方の横向用水タンクがその内部に注水された水の重量によってベッドを揺動させ、また、注水した方の横向用水タンクの内部の水が排水されてその横向用水タンクが軽くなると、ベッドに下向きに突設されてベッドを水平状態に向けて附勢する重りがベッドを水平状態に復帰させるので、横向揺動機構に減速機および回転伝達機構を用いていないことから、当該介護ベッド装置を簡易な構成で安価に製造することができる。
【００１３】
なお、本発明の揺動式介護ベッド装置においては、前記弁作動手段は、前記横向用弁に前記左右の横向用水タンクの何れか一方への注水を選択的に行わせる作動選択手段を有するものであると好ましい。
【００１４】
かかる構成によれば、左右の横向用水タンクの何れか一方への選択的な注水によりベッドを確実に揺動させることができる。
【００１５】
また、本発明の揺動式介護ベッド装置においては、前記頭部支持台および前記胴部支持台をその胴部支持台の前記脚部支持台寄りの端部でその胴部支持台の左右方向へ延在する軸線周りに水平位置と起き上がり位置との間で揺動させる起き上がり機構を具え、前記起き上がり機構が、前記胴部支持台の前記脚部支持台寄りの端部に前記頭部支持台と反対の方向に突設された腕部材に結合されて内部の水の重量により前記頭部支持台および前記胴部支持台を前記起き上がり位置へ揺動させる起き上がり用水タンクと、前記起き上がり用水タンクへの注水と前記起き上がり用水タンクからの排水とを行う起き上がり用弁と、を有するものであり、前記弁作動手段が、前記起き上がり用弁をも作動させるものであると好ましい。
【００１６】
かかる構成によれば、ベッドに仰向けに寝た被介護者が、被介護者の操作が可能なようにベッドに設けられた弁作動手段を操作して起き上がり用弁を作動させると、その起き上がり用弁が、頭部支持台および胴部支持台をその胴部支持台の前記脚部支持台寄りの端部でその胴部支持台の左右方向へ延在する軸線周りに水平位置と起き上がり位置との間で揺動させる起き上がり機構の、胴部支持台の脚部支持台寄りの端部に頭部支持台と反対の方向に突設された腕部材に結合されて内部の水の重量により頭部支持台および胴部支持台を起き上がり位置へ揺動させる起き上がり用水タンクへの注水と、その起き上がり用水タンクからの排水とを行い、起き上がり用水タンクがその内部に注水された水の重量によって、被介護者の上半身の重量に抗して頭部支持台および胴部支持台を起き上がり位置へ揺動させ、また、起き上がり用水タンクの内部の水が排水されてその起き上がり用水タンクが軽くなると頭部支持台および胴部支持台が自重と被介護者の上半身の重量によって水平状態に復帰するので、被介護者が自分でベッドの頭部支持台および胴部支持台を斜めに起こしたり水平に倒したりして床擦れを防止することができる。
【００１７】
さらに、本発明の揺動式介護ベッド装置においては、前記弁作動手段が有する前記作動選択手段は、前記横向用弁による前記左右の横向用水タンクの何れか一方への注水と、前記起き上がり用弁による前記起き上がり用水タンクへの注水とを選択的に行わせるものであると好ましい。
【００１８】
かかる構成によれば、ベッドを揺動させている間は頭部支持台および胴部支持台を起き上がり位置へ揺動させず、ベッドが水平状態に戻った状態でのみ頭部支持台および胴部支持台を起き上がり位置へ揺動させることができるので、被介護者は、ベッドから落下する恐怖を覚えることなく安心してベッドを横向に揺動させることができる。
【図面の簡単な説明】
【００１９】
【図１】本発明の揺動式介護ベッド装置の一実施例を示す頭部支持台側から見た正面図である。
【図２】上記実施例の揺動式介護ベッド装置を示す平面図である。
【図３】上記実施例の揺動式介護ベッド装置を示す側面図である。
【図４】上記実施例の揺動式介護ベッド装置をベッドが横向きに傾斜した状態で示す、図１と同様に頭部側から見た正面図である。
【図５】上記実施例の揺動式介護ベッド装置の横向用水タンクと横向用弁と弁作動手段との構成を閉弁状態で示す断面図である。
【図６】上記実施例の揺動式介護ベッド装置の横向用水タンクと横向用弁と弁作動手段との構成を開弁状態で示す断面図である。
【図７】上記実施例の揺動式介護ベッド装置の弁作動手段が有する作動選択手段の構成を示す正面図である。
【図８】上記実施例の揺動式介護ベッド装置の作動選択手段の構成を示す側面図である。
【図９】上記実施例の揺動式介護ベッド装置の作動選択手段の作動可能弁表示ランプを示す正面図である。
【発明を実施するための形態】
【００２０】
以下、この発明の実施形態につき、図面に基づく実施例によって詳細に説明する。ここに、図１は、本発明の揺動式介護ベッド装置の一実施例を示す頭部支持台側から見た正面図、図２は、上記実施例の揺動式介護ベッド装置を示す平面図、そして図３は、上記実施例の揺動式介護ベッド装置を示す側面図であり、図３中の仮想線は、頭部支持台と胴部支持台とが斜めに起き上がった状態を示している。
【００２１】
図中、符号１は概略水平方向へ延在するベッド、２は矩形の枠状の基台、３は基台２の両短辺上に立設したトラス型の支持フレーム、４はベッド１を支持するようにベッド１の延在方向両端部に固設した支持軸、そして５は支持軸４を回動可能に支持することでベッド１をその長手方向に延在する水平軸線周りに左右横向に揺動可能に支持するように支持フレーム３の上端部に設けた軸受をそれぞれ示す。また、符号Ｐは被介護者を示す。なお、図１では手前側の支持フレーム３を省略している。
【００２２】
ここにおけるベッド１は、複数本の梁で連結されて梯子状の揺動台を構成する２本の桁６を有しており、２本の桁６上には、それらの桁６の両外側に位置する２本の角材７で支持した胴部支持台としての胴部床板８を掛け渡して載置している。なお、この実施例では胴部床板８は、被介護者Ｐの腰部の下から頭部の下まで延在している。
【００２３】
符号９は図２の平面視で、胴部床板８の左側端部（図１では右側端部）に上向きに突設した胴部側壁としての胴部側板であり、該胴部側板９は胴部床板８より短く、枕側の方が一部開けた状態に形成してある。図２の平面視で、胴部床板８の右側端部（図１では左側端部）にも胴部床板８より短い胴部側壁としての胴部側板１０が上向きに突設されており、この胴部側板１０も同様に枕側の方が一部開けた状態に形成してある。その理由は、胴部側板９，１０が胴部床板８と同じ長さで形成されていると被介護者Ｐが箱の中に入るような状態になって非常に窮屈な思いをすることになるためであり、本実施例では上記のような問題を解決するために胴部側板９，１０を短くし、胴部側板９，１０と後述する頭部側板２１，２２との間に隙間を十分に開けて、その隙間から被介護者Ｐが腕を外に出せるようにしている。
【００２４】
また、２本の桁６上には胴部床板８の下側に位置して２本の桁６の全長に亘り延在するように、脚部支持台としての脚部床板１１を掛け渡して固定しており、被介護者Ｐの脚部の下で胴部床板８から露出する脚部床板１１の両側部には脚部側壁としての脚部側板１２を上向きに突設している（図１では省略している）。ここで、胴部側板９，１０は何れもベッド１の横方向に延在する図示しない長孔を有し、その長孔を貫通するボルトで胴部床板８に固定されているので、そのボルトを緩めて胴部側板９，１０を長孔に沿って移動させることで、被介護者Ｐの体格に応じてそれらの間隔を適宜調節することができる。
【００２５】
そして胴部床板８の左右側方にはその胴部床板８と略面一に、かつ胴部床板８が水平な場合にそれに沿って略水平になるように縁板１６を配置し、それらの縁板１６を、２本の角材７をそれぞれ跨ぐＬ字状の部材を介して２本の桁６に蝶番で連結する。縁板１６の下面には縦支持棒１３が垂下固定され、後述の如くベッド１が横向きに傾斜した際にも水平に維持される左右の横向用水タンク３１，３２には横支持棒１４がベッド１の横方向に延在するように固定され、これら縦支持棒１３と横支持棒１４とは、支持棒案内機構１５の二枚の側板の間に摺動可能に挿通されるとともに、それらの側板の間に配置された複数対のローラでそれぞれ案内されて、互いに直交しつつ相対移動可能とされる。これにより、後述の如くベッド１が横向きに傾斜した際にも縁板１６は略水平に維持され、被介護者Ｐは胴部側板９，１０と頭部側板２１，２２との間の隙間から外に出したその両腕を縁板１６上に楽に載せていることができる。
【００２６】
本実施例ではさらに、胴部床板８の、被介護者Ｐの頭部の下に位置する部分の、図２の平面視で左側部（図１では右側部）に、上方を少し左側に傾けて頭部側壁としての頭部側板２１を立設し、また、胴部床板８の、被介護者Ｐの頭部の下に位置する部分の右側部の上にも、上方を少し右側に傾けて頭部側壁としての頭部側板２２を立設し、それらの頭部側板２１，２２に渡して頭部支持台としての枕受板２３を固定している。なお、これら頭部側板２１，２２および枕受板２３は、胴部床板８にベッド１の長手方向へ延在するように設けた図示しない長孔に貫通する固定用ボルトを緩めることにより、被介護者Ｐの身長や体格に合わせて一体で移動させることができる。
【００２７】
本来、枕は健康な人でも安眠するためには重要なものであり、まして病人にとっては尚更重要なものであるところ、本実施例の介護ベッド装置は、ベッド１が横に傾く様に構成されていることから、ベッド１が横に傾くと図２の平面視で左の頭部側板２１および右の頭部側板２２は枕の高さになるので、頭部側板２１および頭部側板２２の間隔を適度に設定することで、ベッド１の傾斜時にも、被介護者が頭部を適度な高さのそれら頭部側板２１，２２および枕受板２３に支持されて安眠することができる。また、頭部側板２１および頭部側板２２の間隔を適度に設定することで、被介護者の視界の圧迫感をなくすこともできる。
【００２８】
なお、枕受板２３上から頭部側板２１，２２上にかけては図示しない枕が設けられている。そして、胴部床板８上から胴部側板９，１０にかけておよび、脚部床板１１上から脚部側板１２にかけても、図示しないクッションマットが設けられて、被介護者の快適性を確保している。
【００２９】
脚部床板１１および水平時の胴部床板８を支持する左右の桁６の下面にはそれぞれ横向用水タンク３１，３２が、左右方向へ揺動可能に支持軸３３で支持されて吊下げられており、横向用水タンク３１，３２の外側の側面には横支持棒１４および支持棒案内機構１５の重量が加わっているため、この重量と釣り合って横向用水タンク３１，３２を桁６の真下に吊下げるために、横向用水タンク３１，３２のそれぞれの下面の内側端部にはタンク用重り３４が吊下げられている。また、左右の桁６の間に渡された梁の一本には、Ｙ字状の支持部材３５を介して水平復帰用重り３６が吊下げ固定されており、この水平復帰用重り３６は、ベッド１から下向きに突出してベッド１を水平状態に向けて附勢している。
【００３０】
また、図１では省略しているが、胴部床板８を支持する左右の角材７の各々の図２では下方の端部（図３では右端部）は、ベッド１の延在方向中央部で左右の桁６を左右方向に貫通する回動軸３７に固定され、その回動軸３７の、左右の桁６の内側の位置には２本の引き起こし部材３８の図２では上方の端部（図３では左端部）が固定され、それら２本の引き起こし部材３８の他端部には、ベッド１の左右方向中央部で脚部床板１１の下方に配置された起き上がり用水タンク３９が支持軸４０により揺動可能に吊下げられている。
【００３１】
これにより、後述の如くして図１では左側の横向用水タンク３２内に注水されると、図４に示すようにベッド１はその横向用水タンク３２内の水の重さでその横向用水タンク３２側に傾斜して斜め横向きになり、後述の如くしてその横向用水タンク３２内の水を排水されると、ベッド１に下向きに突設されてベッド１を水平状態に向けて附勢する水平復帰用重り３６が、ベッド１を水平状態に復帰させる。また、図１では右側の横向用水タンク３１内への注水によっても、ベッド１はその横向用水タンク３１内の水の重さでその横向用水タンク３１側に傾斜して斜め横向きになり、その横向用水タンク３１内の水を排水されると、水平復帰用重り３６がベッド１を水平状態に復帰させる。
【００３２】
そして、後述の如くして起き上がり用水タンク３９内に注水されると、２本の引き起こし部材３８が、その他端部に支持軸４０により吊り下げられた起き上がり用水タンク３９内の水の重さで回動軸３７と一体にその軸線周りに図３では時計回りに回動し、これにより、胴部床板８を支持する左右の角材７の一端部も回動軸３７と一体に回動して、図３に仮想線で示すように、胴部床板８および枕受板２３をそれらの上に乗った被介護者の上半身の重量に抗して起き上がり位置へ揺動させる。また、後述の如くして起き上がり用水タンク３９内の水を排水されると、胴部床板８および枕受板２３の自重とそれらの上の被介護者の上半身の重量とによって、胴部床板８を支持する左右の角材７の一端部が回動軸３７と一体に反対方向へ回動して、胴部床板８および枕受板２３が水平状態に復帰する。
【００３３】
ここで、基台２の左右方向中央部と、左右の桁６の間に渡された梁の一本の両端部との間にはそれぞれ、図２では省略しているが、伸縮抵抗を与えつつ伸縮されるオイルダンパーや摩擦ダンパー等のダンパー４１が介挿されており、これによりベッド１は、横向きに傾く際およびその傾いた姿勢から水平に戻る際にダンパー４１の伸縮抵抗でゆっくりと動くので、ベッド１上の被介護者は安心してベッド１を左右に傾けることができる。
【００３４】
また、基台２の左右方向中央部と、胴部床板８の下面との間にも、図１では省略しているが、脚部床板１１に形成された図示しない開口部を貫通して、伸縮抵抗を与えつつ伸縮されるオイルダンパーや摩擦ダンパー等のダンパー４２が介挿されており、これにより胴部床板８および枕受板２３は、起き上がる際および水平状態に復帰する際にダンパー４２の伸縮抵抗でゆっくりと動くので、ベッド１上の被介護者は安心して胴部床板８および枕受板２３を起したり水平に戻したりすることができる。なお、ダンパー４２の上端部は例えば通常のボールジョイントにより、互いに直交する２方向に揺動可能に胴部床板８の下面に結合されているので、ベッド１が横向きに傾動する際にダンパー４２の上端部がそのベッド１の傾動を妨げることはない。
【００３５】
図５および図６は、この実施例の揺動式介護ベッド装置の横向用水タンク３２と、その横向用水タンク３２への注水およびその停止を行う横向用弁５０と、その横向用弁５０を作動させる弁作動手段としての横向用弁作動機構５１との構成を閉弁状態および開弁状態でそれぞれ示す断面図である。
【００３６】
この実施例の揺動式介護ベッド装置では、左右の桁６の外側の側面に、胴部床板８の長手方向中央に近い位置で、胴部床板８および左右の角材７の側端部の外側を通るとともに、角材７に隣接する縁板１６の内縁部に形成された切欠きを通るように、２本の支柱５２，５３が胴部床板８の幅方向に並んでそれぞれ立設され、また胴部床板８の図２では左側端部上の、支柱５２よりも回動軸３７寄りの位置に、１本の支柱５４が立設されており、支柱５２，５３の上端部にはそれぞれ、上記横向用弁作動機構５１と共働する、これも弁作動手段としての横向用レバー５５が揺動可能に軸支され、支柱５４の上端部には、後述する起き上がり用弁を作動させる弁作動手段としての起き上がり用弁作動機構と共働する、これも弁作動手段としての起き上り用レバー５６が揺動可能に軸支されている。これにより、図３中に仮想線で示すように、胴部床板８および枕受板２３が起き上がる際および水平状態に戻る際には、起き上り用レバー５６を支持する支柱５４のみが胴部床板８および枕受板２３と一緒に傾動し、横向用レバー５５を支持する支柱５２，５３は、左右の桁６の側面に固定されているため元の位置に留まる。
【００３７】
上記レバーおよび弁作動機構の作動につき、以下に横向用水タンク３２を代表として図５および図６を用いて説明すると、横向用弁５０は、例えばこの実施例の揺動式介護ベッド装置が置かれた部屋の天井付近に設置されて水道等からフロート付き弁等を介して水を適宜供給される主タンク５７の下面に突設されて上下方向へ延在する筒体５０ａを有し、その筒体５０ａ内には、逆裁頭円錐状の弁座５０ｂと、スプリング室５０ｃとが設けられ、筒体５０ａ内にはまた、弁座５０ｂと密接可能な逆裁頭円錐状の弁体５０ｄおよびその弁体５０ｄの下端部から一体に下方へ延在して弁座５０ｂを遊貫するとともにスプリング室５０ｃを液密かつ摺動可能に貫通する弁軸５０ｅが配置され、さらにスプリング室５０ｃ内には、弁軸５０ｅに一体的に設けられた円盤状のフランジを常時下方へ押圧して通常は弁体５０ｄを弁座５０ｂに密接させ、横向用弁５０を閉じておくスプリング５０ｆが配置されている。
【００３８】
筒体５０ａ内の上端部は、主タンク５７内の下端部に連通し、筒体５０ａ内の弁座５０ｂとスプリング室５０ｃとの間の空間は、軟質ホース５８によって横向用水タンク３２内の上端部に連通している。弁軸５０ｅの下端部には、図ではコ字状のローラ受け５１ａが設けられ、また横向用水タンク３２内の上端部には浮体５１ｂが配置され、横向用水タンク３２の上面上には一方の腕が浮体５１ｂにロッドで連結された伝動クランク５１ｃが揺動可能に軸支され、そのクランク５１ｃの他方の腕がケーブル５１ｄのインナワイヤによってローラ受け５１ａに連結され、さらに主タンク５７の下面には筒体５０ａに近接して支柱５１ｅが設けられ、その支柱５１ｅに中間部を揺動可能に軸支された駆動クランク５１ｆの一端部に設けられたローラ５１ｇがローラ受け５１ａに掛合し、駆動クランク５１ｆの他端部がもう一本のケーブル５１ｈのインナワイヤによって横向用レバー５５の支持軸よりも外側の部分に連結され、これらが横向用弁作動機構５１を構成している。さらに、横向用レバー５５の支持軸よりも外側の部分にはヘ字状のカム面５５ａを持つ開口部が形成され、そのカム面５５ａにはローラ５５ｂを介して重り５５ｃが吊下げられている。
【００３９】
これにより、ベッド１上に寝た被介護者Ｐの手が届く範囲に配置された横向用レバー５５の、支持軸よりも内側（図５では右側）の部分を被介護者Ｐが手で押し上げて、横向用レバー５５を図６に示すように作動姿勢に揺動させると、横向用レバー５５がケーブル５１ｈのインナワイヤによって駆動クランク５１ｆの他端部を引いて駆動クランク５１ｆを図では時計回りに揺動させ、この揺動により駆動クランク５１ｆがその一端部のローラ５１ｇでローラ受け５１ａひいては弁軸５０ｅをスプリング５０ｆに抗して押し上げ、弁体５０ｄを弁座５０ｂから離間させて横向用弁５０を開弁させ、これにより弁体５０ｄと弁座５０ｂとの間に開いた隙間から主タンク５７内の水Ｗを、軟質ホース５８を通して横向用水タンク３２内に注水して、前述のようにベッド１を横向用水タンク３２内の水の重量で所定角度まで斜め横向きに傾動（揺動）させることができる。そしてその注水の間、カム面５５ａに沿うローラ５５ｂの移動で重り５５ｃが横向用レバー５５の外側の端部に移動して、横向用レバー５５の作動姿勢を維持する。
【００４０】
横向用水タンク３２内の水Ｗの水位が上昇して浮体５１ｂが押し上げられると、浮体５１ｂにロッドで連結された伝動クランク５１ｃが図では反時計回りに揺動して、そのクランク５１ｃの他方の腕がケーブル５１ｄのインナワイヤを介してローラ受け５１ａをスプリング５０ｆとの共働で引き下げ、これにより弁体５０ｄが弁座５０ｂに密接して横向用弁５０が閉弁する。またその際、引き下げられたローラ受け５１ａがローラ５１ｇを一緒に引き下げて駆動クランク５１ｆを反時計回りに揺動させ、この揺動により駆動クランク５１ｆがその他端部でケーブル５１ｈのインナワイヤを介して横向用レバー５５の外側部分を引いて図５に示す待機姿勢に横向用レバー５５を揺動させ、これによりカム面５５ａに沿うローラ５５ｂの移動で重り５５ｃも横向用レバー５５の支持軸近くまで戻り移動して、横向用レバー５５が待機姿勢を維持するのを助ける。
【００４１】
もう一つの横向用水タンク３１も、上述した横向用水タンク３１のものと同様の横向用弁５０および横向用弁作動機構５１を有し、また起き上がり用水タンク３９も、それら横向用弁５０および横向用弁作動機構５１と同様の起き上がり用弁および起き上がり用弁作動機構を有しており、これにより、ベッド１上に寝た被介護者Ｐの手が届く範囲に配置された図１では右側の横向用レバー５５の、支持軸より内側の部分を被介護者Ｐが手で押し上げることで、もう一つの横向用水タンク３１内に主タンク５７から水Ｗを注水して、ベッド１を横向用水タンク３１内の水の重量で反対側に所定角度まで斜め横向きに傾動（揺動）させることができ、また、これもベッド１上に寝た被介護者Ｐの手が届く範囲に配置された起き上がり用レバー５６の、支持軸より内側の部分を被介護者Ｐが手で押し上げることで起き上がり用水タンク３９内に主タンク５７から水Ｗを注水して、胴部床板８および枕受板２３を起き上がり用水タンク３９内の水の重量で所定傾斜角の起き上がり位置まで傾動（揺動）させることができる。
【００４２】
さらに、この実施例の揺動式介護ベッド装置では、基台２上に二つの起動部材５９，６０が設けられ、起動部材５９はベッド１の下方でその左右方向へ延在し、起動部材６０はベッド１の下方でその中央部に位置しており、各横向用水タンク３１，３２の下面には、横向用弁５０と同様の構成の、横向用弁としての横向戻し用弁６１を介して排水用の軟質ホース６２が接続され、起き上がり用水タンク３９の下面にも、横向用弁５０と同様の構成の、起き上がり用弁としての起き上がり戻し用弁６３を介して排水用の軟質ホース６２が接続されている。
【００４３】
ここで、横向戻し用弁６１および起き上がり戻し用弁６３にはそれぞれ、水洗トイレのタンク内のものと同様のフロート弁が内蔵されるとともに、弁作動機構として作動突起６４が設けられており、ベッド１が所定角度まで斜め横向きに揺動して、起動部材５９に当接した作動突起６４が押されて内部のフロート弁を押すと、一旦押されて弁座から浮き上がったフロート弁は周囲の水が実質的になくなるまで浮いて弁を開き続けるので、各横向用水タンク３１，３２内の水Ｗを軟質ホース６２から排水することができ、同様に、胴部床板８および枕受板２３が所定角度まで斜めに起き上がって、起動部材６０に当接した作動突起６３が押されて内部のフロート弁を押すと、一旦押されて弁座から浮き上がったフロート弁は周囲の水が実質的になくなるまで浮いて弁を開き続けるので、起き上がり用水タンク３９内の水Ｗを軟質ホース６２から排水することができる。なお、これらの軟質ホース６２から排水された水Ｗは、電動ポンプ等で主タンク５７に戻して再利用してもよく、排水路に放流してもよい。
【００４４】
図７および図８は、上記実施例の揺動式介護ベッド装置の弁作動手段が有する作動選択手段の構成を示す正面図および側面図、図９は、その作動選択手段の作動可能弁表示ランプを示す正面図であり、この実施例の揺動式介護ベッド装置では、作動選択手段としての作動選択機構７０が、図１〜６では図示しないが、胴部床板８の上方の適当な位置に配置されて胴部床板８と一体的に結合されている。
【００４５】
この作動選択機構７０は、ベース板７１と、そのベース板７１の背面にそれと直交するようにそれぞれ突設されて互いに並行に位置する３枚の支持板７２と、それらの支持板７２に固定された共通の支持軸７３にそれぞれ中間部を揺動可能に軸支された角棒からなる三本のロック棒７４，７５，７６と、それらのロック棒７４〜７６の何れか１本だけ（図ではロック棒７５）を上側の凹部７７ａに入り込ませて揺動可能にするとともに残る２本を上部に当接させてそれらの揺動を規制するかんぬき部材７７と、を有しており、ベース板７１の前面には、かんぬき部材７７の、そのベース板７１の前面に沿った図７では左右方向への移動を案内する２対の案内ローラ７１ａと、スプリング７８ａで上向きに附勢されたローラ７８ｂをかんぬき部材７７の下面の鋸歯状の溝７７ｂに嵌合させることで、三本のロック棒７４，７５，７６の何れかに凹部７７ａが対向する位置にかんぬき部材７７を仮止めする仮止め機構７８（図８では図示せず）と、かんぬき部材７７を図７では左右に引っ張って移動させて凹部７７ａが対向するロック棒を選択可能にする選択ロープ７９（図８では図示せず）と、その選択ロープ７９を掛け回されて選択ロープ７９を下方に垂らし、ベッド１上に寝た被介護者Ｐが手で引っ張れるようにする２個の案内ローラ７１ｂ（図８では図示せず）と、が設けられている。
【００４６】
また、３枚の支持板７２には、２対の案内ローラ８０ａで進退移動を案内されつつスプリング８０ｂでベース板７１へ向けて押圧される押圧ロッド８０ｃで中間リンク８０ｄを介してロック棒７４〜７６の後端部を押して、図８に示すように、各ロック棒７４〜７６に傾斜姿勢と水平姿勢との何れかをとらせるロッキング機構８０が設けられている。
【００４７】
さらに、ベース板７１には、図７，８では図示しないが、図９に示すように、３個のパイロットランプ８１〜８３が下向きに設けられており、これらのパイロットランプ８１〜８３は、例えばベース板７１に設けられてかんぬき部材７７と掛合する図示しない３位置タイプのスライドスイッチを介して図示しない電池等の電源に接続されて、かんぬき部材７７が一方の端のロック棒７４を揺動可能にする位置にあるときはパイロットランプ８１が点灯し、かんぬき部材７７が中央のロック棒７５を揺動可能にする位置にあるときはパイロットランプ８２が点灯し、かんぬき部材７７が他方の端のロック棒７６を揺動可能にする位置にあるときはパイロットランプ８３が点灯するというように作動し、３本のロック棒７４〜７６のうち何れが揺動可能なロック棒であるかを表示する。
【００４８】
そしてこれらロック棒７４〜７６のうち、左右のロック棒７４，７６はそれぞれその両端部を左右の横向用レバー５５の両端部に弾性伸縮可能な連結ロープ８４を介して連結され、また中央のロック棒７５はその両端部を起き上がり用レバー５６の両端部に弾性伸縮可能な他の連結ロープ８４を介して連結されており、これにより左右の横向用レバー５５の内側部分をそれぞれ押し上げ操作すると左右のロック棒７４，７６が水平位置へ揺動し、起き上がりレバー５６の内側部分を押し上げ操作すると中央のロック棒７５が水平位置へ揺動する。
【００４９】
従ってこの作動選択機構７０によれば、左右の横向用レバー５５と起き上がり用レバー５６とのうち、３本のロック棒７４〜７６のうちでベッド１上に寝た被介護者Ｐがパイロットランプ８１〜８３を見ながら選択ロープ７９を手で引っ張ってかんぬき部材７７の位置を選択して揺動可能にしたロック棒に連結ロープ８４を介して連結された一本のレバーだけが操作可能になり、その操作可能なレバーが元の位置に戻ったら他のレバーが操作可能になるため、ベッド１を揺動させている間は胴部床板８および枕受板２３を起き上がり位置へ揺動させず、ベッド１が水平状態に戻った状態になると胴部床板８および枕受板２３を起き上がり位置へ揺動させることができるので、被介護者Ｐは、ベッド１から落下する恐怖を覚えることなく安心してベッド１を横向に揺動させることができる。
【００５０】
以上、図示例に基づき説明したが、本発明は上述の例に限定されるものでなく請求の範囲の記載範囲内で適宜変更し得るものであり、例えば、上記実施例では横向用弁および起き上がり用弁として、注水用の弁を主タンク５７に設ける一方で排水用の弁を横向用水タンク３１，３２および起き上がり用水タンク３９にそれぞれ設けたが、これらに代えて横向用水タンク３１，３２および起き上がり用水タンク３９に注水弁と排水弁とをそれぞれ設けてそれらの弁をレバー５５，５６で操作し、あるいは横向用水タンク３１，３２および起き上がり用水タンク３９に注水弁と排水弁とを設ける代りに注水用の軟質ホース５８と排水用の軟質ホース６２との一方をそれらのタンク内に切替え接続する切替弁を設けてその切替弁をレバー５５，５６で操作してもよく、それらの場合にレバー５５，５６は注水が終了しても元の位置に戻らず、その後に排水が終了すると排水弁または切替弁と連動して元の位置に戻るようにしてもよい。
【産業上の利用可能性】
【００５１】
かくして本発明の揺動式介護ベッド装置によれば、長手方向に延在する水平軸線周りに横向に揺動可能に基台によって支持されたベッドが有する頭部支持台と胴部支持台と脚部支持台とが、ベッドに仰向けに寝た被介護者の少なくとも頭部と胴部と脚部とをそれぞれ支持した状態で、揺動機構が、ベッドをその長手方向に延在する水平軸線周りに横向に揺動させて頭部支持台と胴部支持台と脚部支持台とを左右の横向に例えば３０度程度まで傾斜させるので、被介護者が寝返りを打ったのと同じように被介護者の被圧迫部位を反対側へ移す効果があり、これにより被介護者の床擦れを有効に防止することができる。もちろん被介護者は、ベッドの傾斜を助けにして実際に寝返りを打っても良い。
【００５２】
しかも本発明の揺動式介護ベッド装置によれば、ベッドを揺動させて頭部支持台と胴部支持台と脚部支持台とを横向に傾斜させた際に、頭部支持台の両側端部に立設された頭部側壁がベッドに仰向けに寝た被介護者の頭部を支持し、胴部支持台の両側端部に立設された胴部側壁がベッドに仰向けに寝た被介護者の胴部を支持し、脚部支持台の両側端部に立設された脚部側壁がベッドに仰向けに寝た被介護者の脚部を支持するので、被介護者はベッドからずれ落ちることがなく、それゆえ被介護者は、ベッドから落下する恐怖を覚えることなく安心してベッドを傾斜させることができる。
【００５３】
そして本発明の揺動式介護ベッド装置によれば、ベッドに仰向けに寝た被介護者が、被介護者の操作が可能なようにベッドに設けられた弁作動手段を操作して横向用弁を作動させると、その横向用弁が、ベッドをその長手方向に延在する水平軸線周りに横向に揺動させる横向揺動機構の、その水平軸線を間に挟むベッドの左右部分にそれぞれ結合されて内部の水の重量によりベッドを揺動させる左右の横向用水タンクの何れか一方への注水と、その注水した横向用水タンクからの排水とを行い、左右の横向用水タンクのうち横向用弁が注水した方の横向用水タンクがその内部に注水された水の重量によってベッドを揺動させ、また、注水した方の横向用水タンクの内部の水が排水されてその横向用水タンクが軽くなると、ベッドに下向きに突設されてベッドを水平状態に向けて附勢する重りがベッドを水平状態に復帰させるので、横向揺動機構に減速機および回転伝達機構を用いていないことから、当該介護ベッド装置を簡易な構成で安価に製造することができる。
【符号の説明】
【００５４】
１  ベッド
２  基台
３  支持フレーム
４  支持軸
５  軸受
６  桁
７  角材
８  胴部床板
９，１０  胴部側板
１１  脚部床板
１２  脚部側板
１３  縦支持棒
１４  横支持棒
１５  支持棒案内機構
１６  縁板
２１，２２  頭部側板
２３  枕受板
３１，３２  横向用水タンク
３３，４０  支持軸
３４  タンク用重り
３５  支持部材
３６  水平復帰用重り
３７  回動軸
３８  引き起こし部材
３９  起き上がり用水タンク
４１，４２  ダンパー
５０  横向用弁
５０ａ  筒体
５０ｂ  弁座
５０ｃ  スプリング室
５０ｄ  弁体
５０ｅ  弁軸
５０ｆ  スプリング
５１  横向用弁作動機構
５１ａ  ローラ受け
５１ｂ  浮体
５１ｃ  伝動クランク
５１ｄ，５１ｈ  ケーブル
５１ｅ  支柱
５１ｆ  駆動クランク
５１ｇ，５５ｂ  ローラ
５２，５３，５４  支柱
５５  横向用レバー
５５ａ  カム面
５５ｃ  重り
５６  起き上がり用レバー
５７  主タンク
５８，６２  軟質ホース
５９，６０  起動部材
６１  横向戻し用弁
６３  起き上がり戻し用弁
６４  作動突起
７０  作動選択機構
７１  ベース板
７１ａ，７１ｂ  案内ローラ
７２  支持板
７３  支持軸
７４，７５，７６  ロック棒
７７  かんぬき部材
７７ａ  凹部
７７ｂ  溝
７８  仮止め機構
７８ａ  スプリング
７８ｂ  ローラ
７９  選択ロープ
８０  ロッキング機構
８０ａ  案内ローラ
８０ｂ  スプリング
８０ｃ  押圧ロッド
８０ｄ  中間リンク
８１，８２，８３  パイロットランプ
８４  連結ロープ
Ｐ  被介護者
Ｗ  水
【要約】
【課題】簡易な構成で安価に製造できる介護ベッド装置を提供することにある。
【解決手段】被介護者の頭部を支持する頭部支持台、被介護者の胴部を支持する胴部支持台および、被介護者の脚部を支持する脚部支持台と、前記各支持台の両側端部にそれぞれ立設された頭部側板、胴部側板および脚部側板と、を有するベッドと、前記ベッドをその長手方向に延在する水平軸線周りに横向に揺動可能に支持する基台と、前記ベッドを前記水平軸線周りに横向に揺動させる横向揺動機構と、を具えてなり、前記横向揺動機構が、前記水平軸線を間に挟む前記ベッドの左右部分にそれぞれ結合されて内部の水の重量により前記ベッドを揺動させる左右の横向用水タンクと、前記左右の横向用水タンクの何れか一方への注水とその注水した横向用水タンクからの排水とを行う横向用弁と、被介護者により操作可能に前記ベッドに設けられて前記横向用弁を作動させる弁作動手段と、前記ベッドに下向きに突設されて前記ベッドを水平状態に向けて附勢する重りと、を有するものである揺動式介護ベッド装置である。
【選択図】図１【図１】
0005385481.tif 000002
【図２】
0005385481.tif 000003
【図３】
0005385481.tif 000004
【図４】
0005385481.tif 000005
【図５】
0005385481.tif 000006
【図６】
0005385481.tif 000007
【図７】
0005385481.tif 000008
【図８】
0005385481.tif 000009
【図９】
0005385481.tif 000010